(57)【特許請求の範囲】
【請求項１】
ドア本体に装着したホルダーと、
該ホルダー内に回転可能に配設したシリンダ本体とからなり、
前記シリンダ本体は、軸方向に形成されたキー挿入穴と、該キー挿入穴に連通し、軸方向に所定間隔で形成された複数のタンブラー穴と、前記シリンダ本体の外周面に開口し、各タンブラー穴の一方の側縁部に連通した開口部と、前記タンブラー穴の他方の側縁部に形成されたスプリング挿入孔とを備え、
中央部にキーが挿入されるキー穴を有し、一方の側縁部に形成された切欠部と、該切欠部の形成された側縁部に対向する他方の側縁部に突設されたスプリング受部とを有する複数のタンブラーと、
前記スプリング挿入孔に収容され、前記タンブラーのスプリング受部に圧接して、前記タンブラーを付勢するスプリングと、
前記開口部に配置されるとともに、前記タンブラーの移動方向に対して直交するように付勢され、キーの挿入前の状態では、前記タンブラーの側縁部に当接して前記シリンダ本体から突出することにより、前記ホルダーに係合し、該シリンダ本体を回動不可能とする一方、キーの挿入により整列した前記タンブラーの切欠部に係合してシリンダ本体内に没入し、前記シリンダ本体を回動可能とするサイドバーとを設けたシリンダ錠において、
前記タンブラーには、前記キー穴の一方の側縁部とスプリング受部が形成された前記タンブラーの側縁部との間に前記タンブラーの全長にかけて延設された第１の段部を設けるとともに、前記シリンダ本体に前記第１の段部と係合する第１の受部を設けたことを特徴とするシリンダ錠。
【請求項２】
前記タンブラーには、前記キー穴の他方の側縁部と切欠部が形成された前記タンブラーの側縁部との間に前記タンブラーの全長にかけて延設された第２の段部を設けるとともに、前記シリンダ本体に前記第２の段部と係合する第２の受部を設けたことを特徴とする請求項１記載のシリンダ錠。
【請求項３】
ドア本体に装着したホルダーと、
該ホルダー内に回転可能に配設したシリンダ本体とからなり、
前記シリンダ本体は、軸方向に形成されたキー挿入穴と、該キー挿入穴に連通し、軸方向に所定間隔で形成された複数のタンブラー穴と、前記シリンダ本体の外周面に開口し、各タンブラー穴の一方の側縁部に連通した開口部と、前記タンブラー穴の他方の側縁部に形成されたスプリング挿入孔とを備え、
中央部にキーが挿入されるキー穴を有し、一方の側縁部に形成された切欠部と、該切欠部の形成された側縁部に対向する他方の側縁部に突設されたスプリング受部とを有する複数のタンブラーと、
前記スプリング挿入孔に収容され、前記タンブラーのスプリング受部に圧接して、前記タンブラーを付勢するスプリングと、
前記開口部に配置されるとともに、前記タンブラーの移動方向に対して直交するように付勢され、キーの挿入前の状態では、前記タンブラーの側縁部に当接して前記シリンダ本体から突出することにより、前記ホルダーに係合し、該シリンダ本体を回動不可能とする一方、キーの挿入により整列した前記タンブラーの切欠部に係合してシリンダ本体内に没入し、前記シリンダ本体を回動可能とするサイドバーとを設けたシリンダ錠において、
前記タンブラーには、前記キー穴の他方の側縁部と切欠部が形成された前記タンブラーの側縁部との間に前記タンブラーの全長にかけて延設された第２の段部を設けるとともに、前記シリンダ本体に前記第２の段部と係合する第２の受部を設けたことを特徴とするシリンダ錠。
【発明の詳細な説明】
【０００１】
【発明の属する技術分野】本発明は、建物や車両のドアに使用されるシリンダ錠に関するものである。
【０００２】
【従来の技術】
従来、この種のシリンダ錠は、ドア本体に装着されるホルダーと、該ホルダー内に回転自在に設けられるシリンダ本体とからなる。そして、このシリンダ本体には、キーの挿入方向と直交する一方向に付勢された複数のタンブラーと、該各タンブラーに向かって付勢されるサイドバーとを配設し、ピッキングによる解錠を困難にしたものが種々提供されている。
【０００３】
前記シリンダ錠のサイドバーは、キーが挿入される前の状態で、タンブラーの側縁部に当接してシリンダ本体から突出し、ホルダーに形成した溝に係合することにより、シリンダ本体を回動不可能に維持する。一方、キーを挿入すると、キーに形成したキー山により各タンブラーを移動させ、その縁に形成した切欠部を整列し、その切欠部にサイドバーが没入することにより、ホルダーに対してシリンダ本体を回動可能とするものである。
【０００４】
【発明が解決しようとする課題】
しかしながら、前記サイドバー方式のシリンダ錠では、キー穴より工具等を挿入し、一枚ずつタンブラーとホルダーとの係合を解除し、その状態を保持させるというピッキングにより、解錠することは非常に困難であるが、シリンダ本体のキー挿入穴からタンブラーを装着するタンブラー穴を通して薄板状の治具でスプリングを操作して、タンブラーへの付勢力を無効とし、タンブラーを移動させると、サイドバーの付勢力が働いているため、サイドバーがタンブラーの切欠部に没入し、不正に解錠される可能性がある。
【０００５】
また、シリンダ本体のキー挿入穴からタンブラーを装着するタンブラー穴を通して薄板状の治具でサイドバーを操作することにより、不正に解錠される可能性がある。
【０００６】
そこで、本発明では、シリンダ本体のキー挿入穴からスプリングとサイドバーを確実に操作不可能とし、不正解錠を防止できるシリンダ錠を提供することを課題とするものである。
【０００７】
【課題を解決するための手段】
前記課題を解決するため、本発明のシリンダ錠は、ドア本体に装着したホルダーと、該ホルダー内に回転可能に配設したシリンダ本体とからなり、前記シリンダ本体は、軸方向に形成されたキー挿入穴と、該キー挿入穴に連通し、軸方向に所定間隔で形成された複数のタンブラー穴と、前記シリンダ本体の外周面に開口し、各タンブラー穴の一方の側縁部に連通した開口部と、前記タンブラー穴の他方の側縁部に形成されたスプリング挿入孔とを備え、中央部にキーが挿入されるキー穴を有し、一方の側縁部に形成された切欠部と、該切欠部の形成された側縁部に対向する他方の側縁部に突設されたスプリング受部とを有する複数のタンブラーと、前記スプリング挿入孔に収容され、前記タンブラーのスプリング受部に圧接して、前記タンブラーを付勢するスプリングと、前記開口部に配置されるとともに、前記タンブラーの移動方向に対して直交するように付勢され、キーの挿入前の状態では、前記タンブラーの側縁部に当接して前記シリンダ本体から突出することにより、前記ホルダーに係合し、該シリンダ本体を回動不可能とする一方、キーの挿入により整列した前記タンブラーの切欠部に係合してシリンダ本体内に没入し、前記シリンダ本体を回動可能とするサイドバーとを設けたシリンダ錠において、前記タンブラーには、前記キー穴の一方の側縁部とスプリング受部が形成された前記タンブラーの側縁部との間に前記タンブラーの全長にかけて延設された第１の段部を設けるとともに、前記シリンダ本体に前記第１の段部と係合する第１の受部を設けた構成としている。
【０００８】
また、本発明の前記タンブラーには、前記キー穴の他方の側縁部と切欠部が形成された前記タンブラーの側縁部との間に前記タンブラーの全長にかけて延設された第２の段部を設けるとともに、前記シリンダ本体に前記第２の段部と係合する第２の受部を設けてもよい。
【０００９】
また、本発明のシリンダ錠は、ドア本体に装着したホルダーと、該ホルダー内に回転可能に配設したシリンダ本体とからなり、前記シリンダ本体は、軸方向に形成されたキー挿入穴と、該キー挿入穴に連通し、軸方向に所定間隔で形成された複数のタンブラー穴と、前記シリンダ本体の外周面に開口し、各タンブラー穴の一方の側縁部に連通した開口部と、前記タンブラー穴の他方の側縁部に形成されたスプリング挿入孔とを備え、中央部にキーが挿入されるキー穴を有し、一方の側縁部に形成された切欠部と、該切欠部の形成された側縁部に対向する他方の側縁部に突設されたスプリング受部とを有する複数のタンブラーと、前記スプリング挿入孔に収容され、前記タンブラーのスプリング受部に圧接して、前記タンブラーを付勢するスプリングと、前記開口部に配置されるとともに、前記タンブラーの移動方向に対して直交するように付勢され、キーの挿入前の状態では、前記タンブラーの側縁部に当接して前記シリンダ本体から突出することにより、前記ホルダーに係合し、該シリンダ本体を回動不可能とする一方、キーの挿入により整列した前記タンブラーの切欠部に係合してシリンダ本体内に没入し、前記シリンダ本体を回動可能とするサイドバーとを設けたシリンダ錠において、前記タンブラーには、前記キー穴の他方の側縁部と切欠部が形成された前記タンブラーの側縁部との間に前記タンブラーの全長にかけて延設された第２の段部を設けるとともに、前記シリンダ本体に前記第２の段部と係合する第２の受部を設けた構成としてもよい。
【００１０】
本発明のシリンダ錠では、シリンダ本体内にキーを挿入すれば、各タンブラーがシリンダ本体内に移動し、サイドバーがタンブラーの切欠部に係合してシリンダ本体内に没入する。これにより、キーを回転操作すると、シリンダ本体をホルダー内で回転させることができ、開錠又は施錠操作が可能となる。また、キーの挿入前の状態では、切欠部をサイドバーに係合させようとしても、他のタンブラーの付勢力によりサイドバーが戻され、該サイドバーをタンブラーの切欠部に係合させることができないため、ピッキングにより不正に解錠することはできない。しかも、前記タンブラーには、キー穴の一方の側縁部とスプリング受部が形成されたタンブラーの側縁部との間にタンブラーの全長にかけて延設された第１の段部を設けるとともに、シリンダ本体に第１の段部と係合する第１の受部を設けているため、シリンダ本体内からスプリングの装着部分に通じる直線状の隙間をなくすことができる。そのため、その部分から薄板状の治具を挿入してスプリングを操作することはできず、タンブラーの付勢力をなくすことができない。
【００１１】
さらに、前記タンブラーには、キー穴の他方の側縁部と切欠部が形成されたタンブラーの他方の側縁部側との間にタンブラーの全長にかけて延設された第２の段部を設けるとともに、シリンダ本体に第２の段部と係合する第２の受部を設けることにより、シリンダ本体内からサイドバーの装着部分に通じる直線状の隙間をなくすことができる。そのため、その部分から薄板状の治具を挿入してサイドバーを操作することができない。
【００１２】
【発明の実施の形態】
以下、本発明の実施の形態を図面に従って説明する。図１および図２は、本発明の第１実施形態に係る建物用に使用したシリンダ錠を示す。このシリンダ錠は、大略、ホルダー１と、その内部に回転可能に設けられるシリンダ本体１０と、ホルダー１を覆うカバー３４とから構成されている。
【００１３】
前記ホルダー１は、亜鉛やアルミニウム等の金属材料を略円筒状に成形することにより得られる。ホルダー１の外周面には位置決め用の突条２と、逃がし溝３がそれぞれ２つずつ９０度間隔で交互に形成されている。ホルダー１の前面側には、外方に突出するフランジ状の鍔部４が形成され、その中央部には円筒状に突出する筒状部５が設けられている。筒状部５の内面の対称な位置には、軸方向に沿って一対の第１係合溝６（図１中、一方は図示せず）が形成されている。この第１係合溝６は、後述するタンブラー１６の係合凸部２１が係合することにより、シリンダ本体１０を回動不可能とするものである。また、ホルダー１の内面には、前記第１係合溝６とは９０度位相した位置に、シリンダ本体１０から突出したサイドバー２４を収容する一対の第２係合溝７が形成されている。ホルダー１の後端開口部には、図２に示すように、後端から所定範囲に拡開部８が形成され、この拡開部８に連続して一対の係合凹部９が形成されている。
【００１４】
前記シリンダ本体１０は円柱状をなし、その内部には、図３に示すように、複数のタンブラー１６およびサイドバー２４がそれぞれ収容されている。また、このシリンダ本体１０の後端側外周部には、図１に示すように、コンストラクションカム２８が軸方向に沿ってスライド可能に配設されている。
【００１５】
具体的には、前記シリンダ本体１０の軸心には、矩形状のキー挿入穴１１が形成されている。シリンダ本体１０の外周面には、両側から軸方向に所定間隔をもって前記キー挿入穴１１に連通する複数のタンブラー穴１２がそれぞれ穿設され、このタンブラー穴１２にそれぞれ後述するタンブラー１６が配設されている。そして、前記タンブラー穴１２には、図２に示すように、１つ置きの一端部（下端部）にスプリング挿入孔１２ａがそれぞれ形成されている。なお、図示していないが、図２の紙面向こう側にも同じく１つ置きの下端部にスプリング挿入孔１２ａが形成されている。シリンダ本体１０の前面側の外周面には、図３に示すように、略Ｉ字形の開口部１３が形成され、その両端部両側は平坦な取付部１３ａとなっている。シリンダ本体１０の背面側にはフランジ状に突出する鍔部１０ａが形成され、ホルダー１における後端の拡開部８の内縁に嵌合するようになっている。また、本実施形態のシリンダ本体１０には、図３及び図４に示すように、前記タンブラー穴１２には、キー挿入穴１１に対して後述するサイドバー２４が収容される前記開口部１３と連通する一方側に後述するタンブラー１６の第２段部２３に対応する第２受部１５が設けられているとともに、前記タンブラー穴１２のキー挿入穴１１に対してスプリング挿入孔１２ａが設けられた他方側に後述するタンブラー１６の第１段部２２に対応する第１受部１４が設けられている。
【００１６】
前記タンブラー１６は板状をなし、全長の短いコンストラクションキーと全長の長いユーザーキーのいずれにも応動する７枚の前面側のタンブラー１６ａと、ユーザーキーのみに応動する３枚の後方側のタンブラー１６ｂとの１０枚で構成されている。また、これらタンブラー１６には、中央部に矩形状のキー穴１７が穿設されている。各タンブラー１６の一方の側縁部１６ｃにはサイドバー２４が没入するＶ字状の切欠部１８が形成され、他方の側縁部１６ｄにはスプリング１９の一端部が圧接するスプリング受部２０が突設されている。さらに、このスプリング受部２０の側の端部には、前記第１係合溝６内に突出して係合する係合凸部２１が設けられている。さらにまた、本実施形態のタンブラー１６の両側面には、前記キー穴１７の一方側の側縁部１７ａとスプリング受部２０との間に、図８（Ａ）に示すように断面略Ｖ字形状の溝からなる第１段部２２が全長にかけて設けられ、前記キー穴１７の一方側の側縁部１７ｂと後述するサイドバー２４が係合する切欠部１８との間に、断面略Ｖ字形状の溝からなる第２段部２３が全長にかけて設けられている。
【００１７】
本実施形態では、前記シリンダ本体１０に形成した各タンブラー穴１２において、スプリング挿入孔１２ａが形成されている一方側からスプリング１９とタンブラー１６を挿入し、図５（Ａ）、（Ｂ）に示すように、これらタンブラー１６が１つ置きに、２方向に分けて外向きに付勢されるように構成している。また、本実施形態では、シリンダ本体１０から突出する前面側の１枚のタンブラー１６ａを付勢するスプリング１９の付勢力のみでサイドバー２４がシリンダ本体１０から突出するようにしているが、数枚のタンブラー１６ａを付勢するスプリングの付勢力を利用すれば、各スプリングの付勢力を弱くすることができる。
【００１８】
前記サイドバー２４は、図３および図５（Ａ）、（Ｂ）に示すように、下面が断面三角形状に突出する略直方体形状で、上面両側にはスプリング受部２５がそれぞれ形成されている。このサイドバー２４は、シリンダ本体１０の取付部１３ａに加締めて固定される止め金具２６との間に配設した一対のスプリング２７により、シリンダ本体１０の開口部１３に没入するように付勢されるようになっている。そして、キー４５（図７（Ａ）、（Ｂ）参照）のキー穴１７への挿入によりタンブラー１６が整列されて切欠部１８が一列に並ぶと、サイドバー２４はこれら切欠部１８に係合してホルダー１内に没入するようになっている。
【００１９】
前記コンストラクションカム２８は、図１に示すようにドーナツ状をなし、その一端側に鍔部２８ａが形成されている。そして、この鍔部２８ａと、前記シリンダ本体１０の鍔部１０ａとの間にはスプリング２９が配設されコンストラクションカム２８を前面側（図２において右側）に付勢するようになっている。コンストラクションカム２８の外周縁部の対向位置には係合突部３０がそれぞれ形成され、内周面には、係合突部３０の近傍に背面側のタンブラー凹部３１と前面側のタンブラー凹部３２がそれぞれ形成され、その間にコンストラクションカム２８の前面側への移動を阻止するための係合壁３３が設けられている。すなわち、係合壁３３の前面側のタンブラー凹部３２に係合した後方側のタンブラー１６ｂにより、コンストラクションカム２８は前面側への移動を阻止される。
【００２０】
前記カバー３４は、図１及び図２に示すように、一端が略円錐台形状の円筒状をなし、ホルダー１の外周側を覆った状態で、該ホルダー１がネジ止めにより固定されるものである。このカバー３４の円錐面側中央部には、キー４５を挿入可能とするための挿入孔３５が形成され、その内周縁には前記ホルダー１の先端面との間に環状の蓄光部材３６が配設される。この蓄光部材３６は、例えば、ポリカーボネイトに蓄光材料を練り込み、夜間に発光するものが使用される。
【００２１】
次に、前記構成からなる建物用のシリンダ錠の組み立てについて説明する。まず、シリンダ本体１０のスプリング挿入孔１２ａからスプリング１９を挿入した後、各タンブラー穴１２に対して１つ置きに２方向からタンブラー１６を挿入する。ここで、各タンブラー１６は図示しない冶具等を用いて押し込んだ状態に維持する。
【００２２】
続いて、図３に示すように、シリンダ本体１０の開口部１３内にスプリング２７とともにサイドバー２４を配置し、取付部１３ａの上方から止め金具２６を加締めにより固定して取り付ける。この状態で、サイドバー２４は前面側のタンブラー１６ａの側縁部１６ｃに圧接される。
【００２３】
その後、シリンダ本体１０の外周部に、スプリング２９とともにコンストラクションカム２８を装着する。この際、コンストラクションカム２８をスプリング２９の付勢力に抗してシリンダ本体１０の鍔部１０ａに当接するまで押し込む。そして、その位置にあるタンブラー１６の押し込み状態を解除する。これにより、後方側のタンブラー１６ｂがコンストラクションカム２８のタンブラー凹部３２に係合し、係合壁３３によってコンストラクションカム２８の軸方向への移動が阻止される。
【００２４】
次いで、コンストラクションカム２８とともにシリンダ本体１０をホルダー１内に収容する。この際、各タンブラー１６の押し込みを解除し、それぞれホルダー１内の各第１係合溝６に１つ置きに係合させる。また、このときサイドバー２４が前面側のタンブラー１６ａの側縁部１６ｃに押されてシリンダ本体１０から突出するため、ホルダー１内の第２係合溝７に係合する。
【００２５】
その後、ホルダー１の先端面に蓄光部材３６を配置し、この状態で、シリンダ本体１０を装着したホルダー１をカバー３４の内部に装着し、ネジ止めにより固定する。
【００２６】
このようにして組み立てられた建物用シリンダ錠では、図６（Ａ）に示すように、コンストラクションカム２８に後方側のタンブラー１６ｂが係合し、コンストラクションカム２８はシリンダ本体１０と共に回転する。したがって、この段階では、コンストラクションカム２８に係合する後方側のタンブラー１６ｂを動作させないコンストラクションキーを挿入することにより、残る前面側のタンブラー１６ａのみをシリンダ本体１０内に没入動作させて開錠操作することが可能となっている。
【００２７】
前記シリンダ錠を建物のドア４０に取り付ける場合、図２に示すように、そのドア４０の前面パネル４１に形成した穴４１ａにホルダー１の後端部を挿入し、突条２によって回転方向の位置決めを行っている。そして、ドア４０の背面パネル４２にホルダー１の後端部に接続された棒材４３を取付台４４にネジ止めし、カバー３４の後端開口部を前面パネル４１に圧接させることにより、前記シリンダ錠の建物のドア４０への装着が完了する。
【００２８】
このようにしてドア４０に装着されたシリンダ錠によれば、ドア４０の前面からカバー３４によって覆われた部分が突出しているので、キー４５の挿入を容易に行うことができる。そして、全長の長いユーザーキーを使用すれば、以下のように、このユーザーキーによってのみ解錠および施錠操作が可能となる。
【００２９】
即ち、全長の長いユーザーキーの挿入により、図６（Ｂ）に示すように、ホルダー１の係合溝に係合する前面側のタンブラー１６ａのみならず、コンストラクションカム２８に係合した後方側のタンブラー１６ｂも移動する。これにより、コンストラクションカム２８はスプリング２９の付勢力によって前面側へスライド移動し、その係合突部３０がホルダー１の係合凹部９に係合して回転不可能となる。
【００３０】
したがって、この段階で、前記コンストラクションキーを挿入しても、ホルダー１と一体化したコンストラクションカム２８に係合する後方側のタンブラー１６ｂをシリンダ本体１０内に没入させることができず、解錠操作を行うことは不可能になる。
【００３１】
一方、全長の長いユーザーキーを使用すれば、前記後方側のタンブラー１６ｂを前面側のタンブラー１６ａとともにシリンダ本体１０内に没入させ、ユーザーキーを回転操作してホルダー１内でシリンダ本体１０を回転させることにより、解錠又は施錠操作を行うことが可能である。
【００３２】
具体的には、コンストラクションキーによる解錠を不可能とした状態で、かつ、ユーザーキーの挿入前の状態では、図７（Ａ）に示すように、各タンブラー１６に形成した切欠部１８は、キー４５の挿入方向において、左右にランダムに位置する。
【００３３】
そして、この状態では、切欠部１８をサイドバー２４に係合させようとしても、他のタンブラー１６の付勢力によりサイドバー２４が戻され、該サイドバー２４をタンブラー１６の切欠部１８に係合させることができない。しかも、前記タンブラー１６に第１段部２２を設けるとともにシリンダ本体１０に対応する第１受部１４を設けているため、シリンダ本体１０内からスプリング１９の装着部分に通じる直線状の隙間がない。そのため、その部分から薄板状の治具を挿入してスプリング１９を操作することはできず、タンブラー１６の付勢力をなくすことができない。その結果、ピッキングによって不正に解錠することはできない。
【００３４】
また、前記タンブラー１６に第２段部２３を設けるとともにシリンダ本体１０に対応する第２受部１５を設けているため、シリンダ本体１０内からサイドバー２４の装着部分に通じる直線状の隙間がない。そのため、その部分から薄板状の治具を挿入してサイドバー２４を操作することはできず、さらにピッキングによる不正解錠を防止することができる。
【００３５】
次に、解錠可能なユーザーキーを挿入すると、タンブラー１６のキー穴１７の縁にキー４５のキー山が当接する。そうすると、各タンブラー１６は、スプリング１９の付勢力に抗してシリンダ本体１０のタンブラー穴１２内でスライドし、その係合凸部２１がホルダー１の第１係合部６内からシリンダ本体１０内に位置する。
【００３６】
これにより、図７（Ｂ）に示すように、キー４５の挿入前の状態でランダムに位置していた切欠部１８が一列に整列する。その結果、サイドバー２４は、スプリング２７の付勢力により、ホルダー１の第２係合溝７内からシリンダ本体１０内に没入し、ユーザがキー４５を回転操作することにより、それに応じてシリンダ本体１０を回転させることができる。
【００３７】
なお、本発明のシリンダ錠は前記実施形態の構成に限定されるものではない。例えば、前記実施形態では、タンブラー１６に形成する第１段部２２、第２段部２３を、図８（Ａ）に示すように、略Ｖ字形状の溝により形成したが、略Ｖ字形状に限定されず、図８（Ｂ）に示すように、凸状に突出する突起により構成してもよい。また、溝または突起からなる段部２２、２３の形状は、図８（Ｃ）に示すように、タンブラー１６において、一端面に凹状の段部を設け、他端面に凸状の段部を設けてもよい。さらに、図８（Ｄ）に示すように、従来よりタンブラ穴１２に段部が設けられたシリンダ錠においては、その段部を第１受部１４、第２受部１５とし、そのタンブラ穴１２と同形状にタンブラ１６を形成することにより、別途シリンダ本体１０に受部１４、１５を形成する必要がなく、製造コストを削減することができる。さらにまた、図８（Ｅ）に示すように、タンブラー１６に形成するキー穴１７を設ける際に、キー穴１７のスプリング受部２０側および切欠部１８側の両側縁部１７ａ，１７ｂを押し広げてバリを立たせて、そのバリを第１段部２２、第２段部２３とすることにより、簡単に段部２２、２３を設けることができる。即ち、前記タンブラー１６の第１段部２２およびシリンダ本体１０の第１受部１４の位置は、スプリング１９の側に位置すれば、その形状や位置は限定されない。同様に、前記タンブラー１６の第２段部２３およびシリンダ本体１０の第２受部１５の位置は、サイドバー２４の側に位置すれば、その形状や位置は限定されない。
【００３８】
また、前記実施形態では、シリンダ錠を建物のドア４０に取り付けたが、車両のドア４０に適用しても、前記と同様の作用、効果を得ることができる。
【００３９】
【発明の効果】
以上の説明から明らかなように、本発明のシリンダ錠では、キーの挿入によりシリンダ本体内に没入するタンブラーのほかに、各タンブラーの切欠部が整列することによりシリンダ本体内に没入するサイドバーを設けるようにしたので、盗難防止性に優れている。しかも、前記タンブラーにおいて、キー穴のスプリング側に第１の段部を設けるとともに、シリンダ本体に第１の段部が係合する第１の受部を設けているため、シリンダ本体内からスプリングの装着部分に通じる直線状の隙間をなくすことができる。そのため、その部分から薄板状の治具を挿入してスプリングを操作することはできず、タンブラーの付勢力をなくすことはできない。その結果、ピッキングによってキー挿入穴からの不正な解錠を確実に防止することができる。
【００４０】
さらに、前記タンブラーにおいて、キー穴のサイドバー側に第２の段部を設けるとともに、シリンダ本体に第２の段部が係合する第２の受部を設けることにより、シリンダ本体内からサイドバーの装着部分に通じる直線状の隙間をなくすことができる。そのため、その部分から薄板状の治具を挿入してサイドバーを操作することはできない。その結果、ピッキングによってキー挿入穴からの不正な解錠を確実に防止することができ、さらに盗難防止性の高いシリンダ錠とすることができる。
【図面の簡単な説明】
【図１】  本発明のシリンダ錠を示す分解斜視図である。
【図２】  組立状態のシリンダ錠の断面図である。
【図３】  第１実施形態のシリンダ本体に対するタンブラーおよびサイドバーの分解斜視図である。
【図４】  第１実施形態のシリンダ本体に対するタンブラーおよびスプリングの別の方向から見た分解斜視図である。
【図５】  （Ａ）、（Ｂ）はシリンダ錠を異なる位置で切断した断面図である。
【図６】  （Ａ）はユーザーキーの挿入前の状態を示す断面図、（Ｂ）はユーザーキーの挿入後の状態を示す断面図である。
【図７】  （Ａ）は、キー挿入前の切欠部の状態を示す断面図、（Ｂ）はキー挿入後の切欠部の状態を示す断面図である。
【図８】  （Ａ）は第１実施形態のタンブラーに形成する段部およびシリンダ本体に形成する受部であり、（Ｂ）、（Ｃ）、（Ｄ）、（Ｅ）は段部および受部の変形例を示す概略正面図である。
【符号の説明】
１…ホルダー、１０…シリンダ本体、１１…キー挿入穴、１２…タンブラー穴、１３…開口部、１４…第１受部、１５…第２受部、１６…タンブラー、１７…キー穴、１８…切欠部、１９…スプリング、２２…第１段部、２３…第２段部、２４…サイドバー、２８…コンストラクションカム、３４…カバー、４０…ドア、４５…キー。
【図１】
0003943846.tif 000002
【図２】
0003943846.tif 000003
【図３】
0003943846.tif 000004
【図４】
0003943846.tif 000005
【図５】
0003943846.tif 000006
【図６】
0003943846.tif 000007
【図７】
0003943846.tif 000008
【図８】
0003943846.tif 000009